(57)【要約】【課題】マンホールトイレを使用するときの環境を向上させると共に、便器その他の使用資材をその場に収納しておき、必要時には被災者の誰でもが引き出して設置することができる応急性の高い災害時トイレの提供。【解決手段】収納ボックス２とこれを閉じる蓋４と便器３を備える。  収納ボックス２は筒状で、上縁に外側へ張り出す上縁係合部６を有すると共に下縁に内側に張り出す下縁係合部７を有し、上縁係合部６はマンホール又は災害用に構築された地中空間５の上縁に係合可能であり、  便器３は、上方から収納ボックス２に納まると共に収納ボックス２の前記下縁係合部７に係合する便器側係合部（台板１２の周縁部）を有する。便器３は、地中空間５に懸垂された収納ボックス２の内部に便器側係合部に下縁係合部７を係合させて収納される。【選択図】図２
2010046224.tif 000002
【特許請求の範囲】
【請求項１】
収納ボックスとこれを閉じる蓋と便器を備えた災害時トイレであって、
収納ボックスは筒状であって、便器を納めて蓋を閉じることができるとともに、取り出した便器を載せる台となることを特徴とした災害時トイレ。
【請求項２】
収納ボックスとこれを閉じる蓋と便器を備えた災害時トイレであって、
収納ボックスは筒状で、上縁に外側へ張り出す上縁係合部を有すると共に下縁に内側に張り出す下縁係合部を有し、上縁係合部はマンホール又は災害時用に構築された地中空間の上縁に係合可能であり、
便器は、上方から収納ボックスに納まると共に収納ボックスの前記下縁係合部に係合する便器側係合部を有することを特徴とした災害時トイレ。
【請求項３】
便器は、便座と筒状をした落とし込み部と受け部で構成され、落とし込み部の上端面に便座を取り付け、落とし込み部の内部中間に受け部を取り付けて内部を上下に遮断してあり、
受け部にダンパー板を先端側が下方へ開くように基部を軸着して取り付けるとともに常時閉じ方向に付勢してあることを特徴とした請求項２に記載の災害時トイレ。
【請求項４】
蓋は和式トイレ相当の用便口を有し、便器とは別個の筒状をした落とし込み部の上端面に取り付けてあり、落とし込み部の内部中間に受け部を取り付けて内部を上下に遮断してあり、
受け部にダンパー板を先端側が下方へ開くように基部を軸着して取り付けるとともに常時閉じ方向に付勢してあることを特徴とした請求項３に記載の災害時トイレ。
【請求項５】
閉じ方向への付勢をダンパー板の基部側に取り付けた錘と永久磁石による引力とで付与していることを特徴とした請求項１〜４のいずれか一つに記載の災害時トイレ。
【請求項６】
蓋の四隅に取り付ける支持脚を収納ボックスに格納してあることを特徴とした請求項１〜５のいずれか一つに記載の災害時トイレ。
【請求項７】
筒状をした落とし込み部の受け部よりも上方となる周囲壁または、受け部の一部に前記上部空間側へのみ開くことができる圧抜き用の弁板が設けられていることを特徴とした請求項に３〜７のいずれか一つに記載の災害時トイレ。
【発明の詳細な説明】
【技術分野】
【０００１】
この発明は、災害時に設置される臨時のトイレに関する。
【背景技術】
【０００２】
家屋の倒壊や火災を伴う大規模災害では、被災者のし尿処理が大きな問題である。多数の被災者が利用できる仮設トイレや簡易トイレとして、搬送式の簡易トイレやいわゆるマンホールトイレがある。  
搬送式の簡易トイレは、キャビネットと貯留槽を備え、使用中の環境が確保されやすいが、し尿の貯蔵能力に限度がある。成人が排出するし尿の量は３００ｇ／回、１．６リットル／日とされている。このため、多数の被災者が集まった避難場所では満杯となった貯留槽のし尿を頻繁に処理する必要が生じる。また、キャビネットがかさばるために、平時の保管場所に苦労する。
【０００３】
この点、マンホールトイレは、下水のマンホールへ直接、あるいは公園や校庭に新たに構築した地中空間（マンホール）を利用するもので、し尿の貯留能力がきわめて大きく、一度に多数の被災者が利用できる。また、前記搬送式のキャビネットほどかさばらず、平常時の保管に苦労することは少ない。  
マンホールトイレとしては、その鉄蓋を直接に便器として利用するものや、別途準備した便器をマンホール上に載せて、マンホールの地中空間をし尿の貯留や放流のために利用するものがある。
【０００４】
特許文献１は、マンホール蓋に用便口１２と開閉蓋２１を設けておき、裏返すことによりそのままマンホールをトイレとして使用可能としたものである。特許文献２も同様にマンホール用蓋体を便器として利用する防災用トイレシステムである。  
特許文献３，４は、マンホールの蓋そのものではなく、この蓋に合わせて別途準備した蓋様体を便器として利用するものである。  
特許文献５は、マンホール型の災害時トイレとして公園や校庭に特別に設置されるもので、排便管３１は下水管あるいはこれにつながる配管につながっているものと考えられる。このトイレの蓋体１３は通常はマンホールの蓋であるが、反転させることによりハンドル１８を備えた便器となる。
【０００５】
特許文献６はマンホール２０の立ち上がり管７０に変換継ぎ手（アダプターと呼ばれる）を介して和式便器１６などを取り付けた構造を開示している。この構造は、公園などの避難場所にあらかじめ仮設トイレ用配管１４を敷設して下水管につなげておき、災害時にはその立ち上がり管に変換継ぎ手を介して仮設トイレを設置するものである。
【０００６】
【特許文献１】特開平１１−３０３１１３号公報
【特許文献２】特開２００４−１８３２６４号公報
【特許文献３】特開平１１−１９７０５８号公報
【特許文献４】特開平１１−８９７４９号公報
【特許文献５】特開２００５−２４０５１０公報
【特許文献６】特開２００４−３３７３９７号公報
【発明の開示】
【発明が解決しようとする課題】
【０００７】
この発明は、従来のマンホールトイレを使用するときの環境を向上させると共に便器その他の使用資材をその場に収納しておき、必要時には被災者の誰でもが引き出して設置することができる応急性の高い災害時トイレの提供を課題とする。  
すなわち、従来のマンホールトイレは、鉄蓋を直接に利用するものはもちろん、アダプターを介して便器を下水へ接続するものであっても、用便口は下水へつながる空間と直接につながっていて下水側空間から吹き上がる風によって臭気がつよく、また、拡散しやすい。さらに、場合によっては深い地中空間（下水側空間）が視界に入りその深さから恐怖感が沸いたり、内部が見えて強い不快感を抱いたりする。
【０００８】
また、マンホールの鉄蓋をそのまま便器として利用するタイプのものでは、災害時に便器を持ち運ばなくてもよいが、それでも目隠しのテントや手すりといった付属のものを保管場所から持ち運ばなければならない。これでは災害時に担当者がその場に居る必要があり、手続きと手順が必要となる。本願の発明はこのような手続きをなくし、被災者自らが自発的に設置できるようにしたものである。
【課題を解決するための手段】
【０００９】
収納ボックスとこれを閉じる蓋と便器を備えた災害時トイレとする。  
収納ボックスは筒状であって、便器を納めて蓋を閉じることができる。  
収納ボックスは、通常、災害時に避難場所となる公園や校庭に構築された地中空間にはめ込まれている。そして、災害時にはこれを引き出して利用する。  
すなわち、収納ボックスから便器とその他の収納品を取り出し、空となった収納ボックスを天地逆にして前記の地中空間に被せ、その上（底側）に便器を載せて利用できる構成とする。  
収納ボックスは筒状であるから、便器からのし尿は、直接に地中空間に貯留される。
収納ボックスは一定の高さを有するから、その上に載せられた便座と共に洋式のトイレとすることができる。
【００１０】
収納ボックスを地中空間に保持するためと取り出した便器を天地を逆にして地中空間へ被せることができるように、収納ボックスの上縁に外側へ張り出す上縁係合部を設け、また、収納ボックス内部に便器を保持するためと天地逆にした収納ボックスに載せられるように、収納ボックスの下縁に内側へ張り出す下縁係合部を設ける。  
便器は、便座と筒状をした落とし込み部と受け部とで構成する。  
落とし込み部の上端面に便座を取り付け、落とし込み部の内部中間に受け部を取り付けて内部を上下に遮断する。  
受け部にダンパー板を先端側が下方へ開くように基部を軸着して取り付けるとともに常時閉じ方向に付勢しておく。
【００１１】
他の実施例として、蓋を和式トイレとして利用することがある。この場合、蓋は和式トイレ相当の用便口を有し、便器とは別個の筒状をした落とし込み部の上端面に取り付けてある。受け部など落とし込み部の内部構造は便器の場合と同様である。  
ダンパーを閉じ方向へ付勢するために、ダンパー板の基部側に錘を取り付け、また、永久磁石による引力を利用することがある。
【００１２】
蓋をトイレに隣接したサイドテーブルとして利用するために、蓋の四隅に取り付ける支持脚を収納ボックスに格納しておくことがある。  
また、マンホールに設置した災害時トイレが下水側からの突然の風圧で吹き上げられてしまう事態を避けるために、筒状をした落とし込み部の受け部よりも上方となる周囲壁または、受け部の一部に前記上部空間側へのみ開くことができる圧抜き用の弁板を設けることがある。
【発明の効果】
【００１３】
便器その他の必要な資材を収納ボックスに納め、避難場所にあらかじめ収納しておけるので、災害時に被災者の誰でもが自発的に設置して速やかに利用することができる。
天地逆にした収納ボックスに便器を載せて利用するので、収納ボックスが高さを有することで洋式トイレとすることができる。  
受け部で地中空間と外部との連通を遮断するので、トイレの使用者が地中空間からの臭気に悩まされることが少ない。また、用便口から地中空間が直接には見えず、トイレ使用者の恐怖間、不快感を軽減することができる。
【００１４】
蓋に和式トイレ相当の用便口を設け、便器とは別個の筒状をした落とし込み部の上端面に取り付けると、前記便器による洋式トイレと共に蓋を和式トイレとして利用することができる。  
蓋の四隅に支持脚を取り付けられる構成であると、蓋をトイレに隣接したテーブルとして利用することができ、床や地面が不潔に感じられる災害時トイレの中で、手に持つ道具や荷物などを一時置くためのサイドテーブルとして重宝である。
【発明を実施するための最良の形態】
【００１５】
〔第１の実施例〕
図１において、災害時トイレ１は、収納ボックス２と便器３及び蓋４を備える。  
収納ボックス２は、この実施例において、鋼板で形成された断面正方形の角筒状であって、避難場所である公園や校庭などの地中に構築した地中空間５にはめ込まれている。
収納ボックス２は、図２，３に示すように、上縁に外側へ張り出す上縁係合部６を有すると共に下縁に内側に張り出す下縁係合部７を有している。上縁係合部６は地中空間５の上縁に係合可能であり、地中空間５の上端縁に固定される鉄枠８の段差部に懸垂状態で取り付けられる。下縁係合部７は、後述の便器３を懸垂状態で取り付けたり、天地を逆にした収納ボックス２に載せて固定したりする際に用いる。  
収納ボックス２の各寸法は、この実施例において高さ３７０ｍｍ、上縁係合部６の一辺（外周）６４５ｍｍ、下縁係合部７の一辺（外周）は５８０ｍｍ、下縁係合部７の一辺（内周）は５６４ｍｍである。
【００１６】
便器３は、便座９と筒状をした落とし込み部１０及び落とし込み部１０の内部に構成する受け部１１（図２，３）を備える。便座９は、落とし込み部１０の上端面に固定し、受け部１１は、落とし込み部１０の内部にその内部空間を上下に遮断して取り付けてある。
便座９は、台板１２、座板１３、座面部材１４、腕ガード１５及び背ガード１６とからなる。
【００１７】
台板１２は、前記収納ボックス２の上端面の内周形状よりもわずかに小さいが、収納ボックス２の下端面に形成されている下縁係合部７の内周形状よりは大きい範囲の矩形板である。したがって台板１２は、収納ボックス２の上端面の開口から収納ボックス２の内部にはめ込んで、下端面の下縁係合部７に係合させることができる。台板の周縁部は便器側の係合部といえる。この実施例において台板１２は四隅の下面に位置決め用のダボ１７を下方へ突出させて有している。
【００１８】
座板１３は、使用者の体重を支える補強板であって、これに座面部材１４が取り付けられる。台板１２と座板１３は重ねて固定され、それぞれ中央部に用便口１８が開口されている。用便口１８は落とし込み部１０の内部空間に通じている。座面部材１４はこの用便口１８を取り囲むように取り付けられる。座面部材１４をさらに取り囲むように、腕ガード１５と背ガード１６が配置されている。背ガード１６の基部は台板１２に固定され、腕ガード１５はその横杆の基部が背ガード１６の縦杆に上下方向で回動可能に取り付けられている。腕ガード１５の先端側は下方へ屈曲し、その端部は台板１２の上面に当接しているだけなので、腕ガード１５は、この実施例において、左右共に上方へ回動させ退避させることができる（図４）。腕ガード１５が上方へ回動できることで、身体の動きに支障のある被災者も座面部材１４へ座りやすくなっている。
【００１９】
落とし込み部１０は、収納ボックス２よりも一回り小さな鋼板製の角筒１９とその内部の受け部１１とから成る。角筒１９の上端面には前記の台板１２が溶接あるいはねじ止めなどで固定される一方、角筒１９の内部空間には受け部１１が取り付けられ、受け部１１により内部空間が上下に２分されている。  
受け部１１は、図２，５，６のように、第１の斜板２０、第２の斜板２１、ダンパー板２２及び磁石取り付け部材２３を備える。これらはいずれも鋼板製であり、上面を滑面とするためにテフロン（登録商標）樹脂がコーティングされている。なお、他の滑面材であっても良い。
【００２０】
第１の斜板２０は、側方から見て約６０°の下り傾斜で配置され、一端（前端）が角筒１９の前壁２４に固定されると共に左右の側辺が角筒１９の左右側壁に固定されている。第１の斜板２０の他端（後端）は下方へ直角に折り曲げられて遮断縁２５となっている。
第２の斜板２１は、側方から見て約３０°の下り傾斜で配置され、一端（後端）が角筒１９の後壁２６に固定されると共に左右の側辺が角筒１９の左右側壁に固定されている。
【００２１】
ダンパー板２２は、第１の斜板２０の下面側に前端部を回動自在に取り付け、その回動軸よりも前方箇所から下方へほぼ直角にやや広めの屈曲縁２７を形成してある。第１の斜板２０の下面側であって、前記の遮断縁２５よりも前方位置に固定側ヒンジを設けると共にダンパー板２２に可動側ヒンジを設け、これらに回動軸を通してヒンジ２８を構成し、このヒンジ２８によって回動自在とされている。  
ダンパー板２２の屈曲縁２７の前面には錘２９が固定されている。
【００２２】
磁石取り付け部材２３は、角筒１９の左右側壁間に固定される部材であって、立ち上げ縁３０を備える。立ち上げ縁３０は、ダンパー板２２が通常位置（図２，５）にあるとき、その屈曲縁２７の後面と対面する配置とされており、前面に永久磁石３１を固定してある。
第１の斜板２０の下面に回動自在に取り付けられたダンパー板２２は、通常時は錘２９の重量と永久磁石３１による引力とにより、後端部が第２の斜板２１の前端辺（下端辺）に当接して停止している。  
錘２９の重量と永久磁石３１による引力との共同作用は、この実施例において、ダンパー板２２に約２００ｇ（小人１回のし尿量）の重量以下で通常の閉じ状態を維持できる大きさとしてある。
【００２３】
すなわち、ダンパー板２２は、閉じ方向への付勢をダンパー板２２の基部側に取り付けた錘２９と永久磁石３１による引力とで付与している。また、ダンパー板２２は通常位置（停止位置）では、第１の斜板２０とほぼ平行（６０°の下り傾斜）となっている。図５，６において、符号３２はクッションであり、第２の斜板２１の下縁に左右方向にとりつけられている。通常位置にあるダンパー板２２の後端はこのクッションに密接している。  受け部１１は以上の構造であって、ダンパー板２２が通常の位置にあるとき、落とし込み部１０の内部空間は、受け部１１によって遮断され、上下に分断されている。  
落とし込み部１０における角筒１９の各寸法は、この実施例において、高さ３４０ｍｍ、側面視４００ｍｍ、正面視２９０ｍｍの断面長方形であり、受け部１１を構成する第１の斜板２０、第２の斜板２１、及びダンパー板２２の正面視の幅寸法は１７６ｍｍである。また、ダンパー板２２の幅寸法は回動しやすいように、第１、第２の斜板２０，２１よりもわずかに小さくしてある。なお、角筒１９の内部は、第１、第２の斜板２０，２１の側面と密接するように幅が狭められている。
【００２４】
以上の構造であって、平常時、便器３は図２，３，７のように、収納ボックス２に収められ地中空間５に収納される。すなわち、便器３は腕ガード１５や台板１２を含めて全体の平面視が収納ボックス２の上縁係合部６よりも小さく、収納ボックス２の上方から便器３をすっぽりと収納ボックス２の内部へはめ込むことができる。そして、収納ボックス２は下縁係合部７を備え、便座９の台板１２は周縁部がこれに係合するから、便器３は下縁係合部７に懸垂された状態で収納ボックス２に収納される。
【００２５】
すなわち、便器３の落とし込み部１０は、角筒状の収納ボックス２の下方開口から下方へ地中空間５に懸垂され、便器３の便座９は収納ボックス２内に位置する。収納ボックス２の上方開口は蓋４で閉鎖される。蓋４は、収納ボックス２の上縁係合部６の上面にボルトで固定されている。ボルトは通常の簡単な工具で緩めることができるものが好ましい。なお、この災害時トイレ１が、人や車が交通する箇所に埋設される場合、蓋４を収納ボックス２に固定するボルトの頭は蓋４の上面から突出しないようにする。
【００２６】
災害発生時には次の手順で災害時トイレ１を構築する。蓋４を取外し、地中空間５から収納ボックス２を便器３ごと引き出す（図１）。そして、収納ボックス２から便器３を取り出す。ついで、収納ボックス２を天地逆にして上縁係合部６を地中空間の開口部、すなわち、鉄枠８に載せてボルト（図示していない）で固定する（図４）。天地逆とされた収納ボックス２の上部となった下縁係合部７に便器３を載せる。このとき、落とし込み部１０は、収納ボックス２の内部に位置し、便座９は台板１２の周縁部が、前記の下縁係合部７に載ることによって収納ボックス２の上方に露出して位置する（図４）。台板１２は下面四隅に設けてあるダボ１７を下縁係合部７のダボ孔に嵌合することによって位置決めと安定した取り付けが行なわれる。
【００２７】
収納ボックス２の内部は、便器３によって密閉される。すなわち、便座９の台板１２によって天地逆とされた収納ボックス２の上方開口が閉鎖され、用便口１８に通じる落とし込み部１０の内部空間は、受け部１１で閉鎖される（通常時）。  
以上の、収納ボックス２ごと便器３を地中空間５から取り出す作用や、収納ボックス２から便器３を取り出す作業は２，３人が協力すれば、誰でも簡単にできることであって、災害時トイレ１を設置するために、特別な担当者や専門家は必要としない。  
しかも、必要とする部材はその場ですべてが整い、すばやく、使用可能な状態とすることができる。  
そして、周囲をテントなどの目隠し部材（図示していない）で覆って災害時トイレ１が完成する。テントなどの目隠し部材も折り畳んで収納ボックス２に収納しておくことが好ましい。また、座面部材は小人用も準備しておくことが好ましい。
【００２８】
災害時トイレ１は、用法において、通常の洋式トイレと同様であり、ただ、水洗式ではない点で異なる。  
トイレの使用で排出されたし尿は、当初受け部１１のダンパー板２２の先端部に堆積する。その量が重量で、約２００ｇを越えるとダンパー板２２は開き、し尿は、ダンパー板２２の表面がテフロン（登録商標）でコーティングされているのと尿による潤滑作用で一気に下方へ落下する。  
このとき、ダンパー板２２は、徐々に開くのではなく、永久磁石３１の引力で設定重量まで持ちこたえた（図８）後、一挙に開く（図９）作用となる。そのため、し尿は落下しやすい。そして、し尿が落下すると、ダンパー板２２は錘２９の作用で後端が上方に回動し、閉じ方向の最終段階では、永久磁石３１の引力で確実に通常の閉じ位置となり、また、閉じ状態が維持される。この状態でダンパー板２２の後端は第２の斜板２１のクッション３２に密着する。
【００２９】
落下したし尿は、地中空間５の底部に貯留されるか、下水管への配設管を通じて下水へ放流される。  
地中空間５は十分に大きな容積を備えたものに形成できるから、し尿の貯留能力は大きく、２，３日というような短期間で満杯になってしまう恐れがない。  
配設管で下水へ放流する構造のものでは、し尿を貯留する容量について心配する必要がない。
【００３０】
また、災害時トイレ１は、天地逆とした収納ボックス２の上方開口が便座９で閉鎖されると共に、通常時は、落とし込み部１０の内部がダンパー板２２を含む受け部１１によって上下に遮断されているので、地中空間５にし尿が貯留されていたり、この空間５が下水に連通したりしていても、臭気が便座９を越えて外部に漏れ出す量はわずかとなる。さらに、用便口１８を覗き込むことがあっても見えるのは受け部１１の構成部材であるから、従来のマンホールトイレのように、恐怖感を抱くことがない。このため、災害時トイレ１の使用環境が向上する。
【００３１】
〔実施例２〕
図１０は、実施例１の蓋４をサイドテーブル３３として利用するものである。収納ボックス２に４本の支持脚３４をあわせ格納しておき、蓋４の下面四隅にボルト（図示していない）で固定する。サイドテーブル３３は、設置した災害時トイレ１とは独立しているのでどこにおいてもよいが、災害時トイレ１の近くに配置すると、ちょっとした手荷物や衣類あるいは乳幼児を目の届く範囲におけるので重宝である。
【００３２】
〔実施例３〕
図１１は、実施例１の蓋４に用便口１８を設けると共にその下面側に便器３と同様な落とし込み部１０を取り付けたものである。用便口１８は通常時では子蓋３５で閉鎖されている。子蓋３５を取り去り、もう一つ別の地中空間５（マンホール）に落とし込み部１０を差し込み、地中空間５の上方に蓋４を掛け渡すことで、本来の便器３を用いた洋式トイレとは別にもう一つの災害時トイレ３６（和式）として利用できる。この場合の落とし込み部１０の大きさは、便器３が納められた収納ボックス２の内部において、便座の台板１２より上方の空間に収まる大きさである。  
実施例３は、災害時に必要なトイレの数を増やすことができると共に、その必要が生じない場合には、図１１のように、サイドテーブルとしても利用することができる。
【００３３】
〔実施例４〕
図１２〜１５は、実施例４を示し、基本的に実施例１の便器３だけで構成され、収納ボックス２に相当するものは備えていない。また、下水道のマンホールに適合させており、地上開口部の鉄枠８が円形なので、これにあわせ台板１２や背ガード１６は、円形で鉄枠８の半径以内の大きさとしている。落とし込み部１０は、角筒状であり、断面における長辺が鉄枠８の半径以内である。落とし込み部１０の内部は受け部１１で上下に遮断されている。受け部１１の具体的な構成は実施例１の場合と同様である。
【００３４】
平常時の収納状態では、便器３は背ガード１６を下方とし、台板１２の周縁を鉄枠８に係合した状態でマンホール内部に逆さまに懸垂された状態となっている（図１３）。符号３７はマンホールの鉄蓋であり、台板１２の上方に載せてマンホールが閉じられる。  
災害時は、鉄蓋３７を取り去り、便器３をマンホールから抜き出す。ついで、便器３を正立させ、その台板１２を再び鉄枠８にはめ込んで災害時トイレ１を完成する（図１４，１５）。  
トイレとしての機能と使用の態様は実施例１の場合と同様である。
【００３５】
収納ボックス２を備えないので、災害時トイレとして必要な部材は、便器３に付属させておく必要がある。また、実施例１の蓋４のような部材を備えないので、サイドテーブルのようなものを作り出すことはできない。しかし、通常のマンホールの内部へ懸垂させて保管しておくことができて保管場所を要しない。また、災害時に被災者がすぐに設置することができ、しかも、設置に特別な技術を要することがない。
【００３６】
図１６は、第５の実施例における受け部１１を示したものである。基本的に実施例１の受け部１１と同様であるが、実施例５では第１の斜板２０の一部に上方へのみ回動する圧抜き弁３８が配置されている。この弁３８は、ダンパー板２２が閉じている通常状態のときに、何らかの理由で突然に地中空間５の圧力が高まると、その圧で上方に解放され（図１６）、落とし込み部１０における下部空間の圧力を上部空間に抜く。これによって、便器３全体が地中空間５から吹き上げられてしまうのを防止することができる。圧抜き弁３８は通常の吹き上げ程度では開かないように、ばねなどで閉じ方向に付勢されている。また、角筒１９の周囲壁で受け部１１より上方の箇所など、他の箇所に設けてもよい。
【００３７】
以上の災害時トイレ１では、排出されたし尿は受け部１１のダンパー板２２に一時貯留され、ダンパー板２２の滑面とダンパー板２２が急速に開くことで地中空間５に放出されるが、このときに流し込むことができる水が得られるならば、同時に利用することがもちろん好ましい。このような水は、災害時トイレ１の傍に設置したタンクからのポンプアップや自然落下、あるいは上水が機能している場合には水道管から送り込まれる構造とすることができる。用水としては雨水や食器洗いに用いた汚水なども利用できる。また、手洗いに用いた排水を災害時トイレ１の受け部１１の上方に誘導して滑面が常時濡れた状態としておくこともし尿の滑落に有効である。
【図面の簡単な説明】
【００３８】
【図１】分解して示す斜視図（実施例１）。
【図２】地中空間へ納めた状態の側面図（一部断面）。
【図３】地中空間へ納めた状態の背面図。
【図４】設置した状態を示す斜視図（一部断面）。
【図５】受け部の斜視図（通常状態）。
【図６】受け部の斜視図（解放状態）。
【図７】便器３を納めた状態で示す平面図（蓋をとりはずしてある）。
【図８】受け部１１の機構を説明するための図（通常状態）。
【図９】受け部１１の機構を説明するための図（解放状態）。
【図１０】設置状態で示す斜視図（実施例２）。
【図１１】設置状態で示す斜視図（実施例３）。
【図１２】便器３を収納した状態を示す平面図（実施例４）。
【図１３】収納した状態を説明するための側面図。
【図１４】設置した状態を説明するための正面図。
【図１５】設置した状態を説明するための側面図。
【図１６】実施例５の一部を示す機構図（実施例５）。
【符号の説明】
【００３９】
１  災害時トイレ
２  収納ボックス
３  便器
４  蓋
５  地中空間
６  上縁係合部
７  下縁係合部
８  鉄枠
９  便座
１０  落とし込み部
１１  受け部
１２  台板
１３  座板
１４  座面部材
１５  腕ガード
１６  背ガード
１７  ダボ
１８  用便口
１９  角筒
２０  第１の斜板
２１  第２の斜板
２２  ダンパー板
２３  磁石取り付け部材
２４  前壁
２５  遮断縁
２６  後壁
２７  屈曲縁
２８  ヒンジ
２９  錘
３０  立ち上げ縁
３１  永久磁石
３２  クッション
３３  サイドテーブル
３４  支持脚
３５  子蓋
３６  もう一つの災害時トイレ
３７  マンホールの鉄蓋
３８  圧抜き弁
【図１】
2010046224.tif 000003
【図２】
2010046224.tif 000004
【図３】
2010046224.tif 000005
【図４】
2010046224.tif 000006
【図５】
2010046224.tif 000007
【図６】
2010046224.tif 000008
【図７】
2010046224.tif 000009
【図８】
2010046224.tif 000010
【図９】
2010046224.tif 000011
【図１０】
2010046224.tif 000012
【図１１】
2010046224.tif 000013
【図１２】
2010046224.tif 000014
【図１３】
2010046224.tif 000015
【図１４】
2010046224.tif 000016
【図１５】
2010046224.tif 000017
【図１６】
2010046224.tif 000018